(57)【要約】【課題】プラント監視制御システムとの間で機器名が完全に一致しない場合でも、機器名をキーにしてプラント監視制御システムからプラント稼動状況を確実に取得可能な設備情報管理システムを提供する。【解決手段】機器名絞り込み手段１１０によって設備情報管理端末２００で指定される紐付け対象機器名と、プラント機器監視用の信号項目データファイル１０２に登録されている監視機器名とを各々形態素解析して単語単位に分解し、各単語単位で機器名の一致度の高いものを抽出し、さらに、紐付け候補抽出手段１２０でプラント監視制御システムでも共通使用される機器のもつ機能を表現する名称を特定することで紐付け対象機器名と監視機器名との一致度を高めて紐付け手段１３０で両者を紐付けし、紐付けた機器名をキーにしてプラント監視制御システム３００からプラント稼動状況の情報を取得する。【選択図】図１
2011198176.tif 000002
【特許請求の範囲】
【請求項１】
設備情報管理サーバと、情報入出力用の設備情報管理端末とを備え、上記設備情報管理サーバは、上記設備情報管理端末およびプラント監視制御システムに通信回線を介して接続されており、
かつ、上記設備情報管理サーバは、
機器管理用の機器台帳データが登録された機器台帳データファイルと、
機器監視用の各信号項目を記載した信号項目データが登録された信号項目データファイルと、
上記機器台帳データファイルに含まれる設備機器名を予め形態素解析したデータを保管する機器台帳インデックスファイルと、
上記信号項目データファイルに含まれる監視機器名を予め形態素解析したデータを保管する信号項目インデックスファイルと、
上記設備情報管理端末で指定した紐付け対象機器名を形態素解析した設備機器名と上記信号項目インデックスファイル内の形態素解析後の監視機器名との一致度を算出し、一致度がしきい値以上になっている監視機器名を絞り込む機器名絞込み手段と、
この機器名絞り込み手段による絞込み結果により得られる機器リストから数字、記号、系、号の単語を除いた一番後ろの単語を抽出し、抽出した単語が一致した監視機器名を上記機器リストの内から絞込んで紐付け候補とする紐付け候補抽出手段と、
上記紐付け対象機器名をキーに上記機器台帳データファイルから当該紐付け対象機器名が所属する設備名を取得するとともに、上記紐付け候補抽出手段で抽出された紐付け候補の監視機器名をキーに上記信号項目データファイルから当該監視機器名が所属する設備名を取得して一致度を付加した情報を紐付け候補一覧表として設備情報端末に送信し、また、上記設備情報管理端末で上記紐付け候補一覧表に基づいて互いに紐付けられた紐付け対象機器名と監視機器名の指定に応じて、上記機器台帳データファイルに紐付け対象機器名に対応付けて当該監視機器名とともにこれが所属する設備名を付加する紐付け手段と、
上記設備情報管理端末からプラント稼動状況取得のための設備機器名の指定に応じて、上記機器台帳データファイルに付加された当該設備機器名に対応した監視機器名を参照して、上記プラント監視制御装置に対して上記監視機器名に対応した監視機器の稼動状況を検索するプラントデータ検索手段と、
を備えることを特徴とする設備情報管理システム。
【請求項２】
上記紐付け候補抽出手段は、上記機器名絞り込み手段による絞込み結果により得られる機器リストから数字、記号、系、号の単語を除いた一番後ろの単語を抽出した際、この一番後ろの単語が、機、器、装置、ポンプ、弁、扉の場合は、その１つ前の単語とつなげて抽出するものである、ことを特徴とする請求項１記載の設備情報管理システム。
【請求項３】
設備機器名と紐付ける必要がない紐付け対象外の監視機器名が形態素解析されて信号項目インデックスファイルに登録されるのを排除する紐付け対象外指定手段を備えることを特徴とする請求項１または請求項２に記載の設備情報管理システム。
【請求項４】
上記設備情報管理端末から指定される紐付け対象機器名に対して、これと同義語を抽出し、紐付け対象機器名と共にこの同義語の情報を上記機器名絞込み手段、および紐付け候補抽出手段にそれぞれ送出する同義語機器名指定手段を備えることを特徴とする請求項１ないし請求項３のいずれか１項に記載の設備情報管理システム。
【請求項５】
上記設備情報管理端末からの機器分類や設備分類などの上位概念機器名の指定に応じて、その上位概念機器名に属する下位概念の複数の紐付け対象機器名を指定する複数機器名選択指定手段を備えることを特徴とする請求項１ないし請求項４のいずれか１項に記載の設備情報管理システム。
【請求項６】
上記紐付け手段により互いに紐付けられた紐付け対象機器名と監視機器名に基づいて、上記機器台帳データファイルに登録されている機器台帳データの階層表示と、上記信号項目データに登録されている信号項目データの階層表示を互いに切替える階層表示切替手段を備えることを特徴とする請求項１ないし請求項５のいずれか１項に記載の設備情報管理システム。
【発明の詳細な説明】
【技術分野】
【０００１】
本発明は、例えば上下水道プラントなどの各プラント設備の維持管理業務や保全業務を支援する設備情報管理システムに関するものである。
【背景技術】
【０００２】
従来、例えば上下水道プラントにおいては、そのプラント設備の維持管理や保全を行うための設備情報管理システムが設けられている。そして、この設備情報管理システムでは、各プラント設備を構成する各種の設備機器の名称、導入年度、導入工事、設備分類や仕様などを記載した機器台帳データを登録、管理している。
【０００３】
また、このような上下水道プラント設備には、上記の設備情報管理システムとは別個に、その設備の各機器の現在の運転状況を把握して各機器を監視制御するプラント監視制御システムが設けられている。そして、このプラント監視制御システムでは、各々の機器にオン／オフ、開閉等の稼働状況や、運転時間、故障履歴など、機器監視用の各信号項目を設定して制御を行っている。
【０００４】
このように、設備情報管理システムとプラント監視制御システムとでは、その管理、制御体系が相違することから、従来、両システムの機器管理体系や利用者が異なるとともに、両システムは互いに連携することなく独立して設けられているのが実情である。
【０００５】
すなわち、設備情報管理システムの主な利用者は保全員であり、また監視制御システムの主な利用者は運転員であって、利用者が異なっている。また、設備の分類方法についても、例えば、図１３に示すように、設備情報管理システムでは、同じ処理内容の設備をまとめて各処理系列を横断的に分類（図１３の実線で囲まれる範囲ごとに分類）するのに対して、プラント監視制御システムでは、現場でプラント設備を運転制御する各処理系列ごとに分類（図１３の破線で囲まれる範囲ごとに分類）しており、そのため各設備機器の名称付けのルールについても慣例が異なっている。
【０００６】
一例として、図１３に示す処理場の１系水処理の第一沈殿池の場所に２つの汚泥ポンプが存在するとしたとき、設備情報管理システムでは、図１４（ａ）に示すように、各汚泥ポンプの機器名として、「１系汚泥ポンプ１号」、「１系汚泥ポンプ２号」というような名称の付け方をする。これに対して、プラント監視制御システムでは、図１４（ｂ）に示すように、各汚泥ポンプの機器名として、「１沈汚泥ポンプ１−１」、「１沈汚泥ポンプ１−２」というような名称の付け方をする。このように、システムによって設備の分類方法や機器名の付け方のルールが異なる。
【０００７】
ところで、設備情報管理システムを用いて設備管理を行う場合、当該システムをプラント監視制御システムに連携させ、設備台帳で耐用年数が近づいている機器を調べて、各機器の運転時間、故障履歴等のプラント稼働状況の情報をプラント監視制御システム側から入手することができれば、設備の更新や修繕計画を立案する際に、プラント稼働状況を加味した機器の優先度を付けることができるため、従来よりも一層適切な設備管理を行えるので便利である。
【０００８】
そのため、従来技術では、プラント監視制御システムのデータから設備情報管理に必要な情報を抽出し、その抽出した情報を設備情報管理システムに紐付けて利用することで、保守業務の効率化を図るようにしたものが提案されている（例えば、下記の特許文献１参照）。
【０００９】
しかしながら、両システムで共通するデータ項目が文字列の場合、両システムの管理、制御体系の違いから、図１４を用いて説明したように、両システム間では設備の分類方法や名称付けのルールについて慣例が異なり、多くの機器名が類似してはいるが、完全には一致しないことが多い。そのため、従来、設備情報管理システムをプラント監視制御システムに連携させて機器名等の文字列をキーにして情報検索して、プラント稼動状況の情報を取得することが難しい。
【００１０】
このような場合、予め登録済みの対象項目の文字列と入力される文字列との一致度を算出し、完全一致もしくは、一致度の高い文字列同士を紐付けることにより、文字列に対応したデータ項目を抽出する従来技術（例えば、下記の特許文献２参照）を適用することが考えられる。
【先行技術文献】
【特許文献】
【００１１】
【特許文献１】特開平６−３１３７２１号公報
【特許文献２】特開平８−２４９３３８号公報
【発明の概要】
【発明が解決しようとする課題】
【００１２】
しかし、上記特許文献２記載のように、予め登録済みの対象項目の文字列と入力される文字列との一致度を算出し、完全一致もしくは、一致度の高い文字列同士を紐付けることで、文字列に対応した対象項目を抽出する従来技術をそのまま適用した場合には、管理体系の違いで付加される文字列によって一致度が下がったり、異なる機器でも系統や号機を示す文字列が一致しているときには全体としての一致度が上がるなどの不具合が生じる。
【００１３】
すなわち、プラントの機器名には、系統や号機を示す数字が多く含まれるため、本来関係の無い数字が多く一致した場合には、本来紐付けすべきでないデータの一致度が高くなることがある。例えば、設備情報管理システムでの機器名が「１系スカムポンプ２−３」で、プラント監視制御システムでの機器名が「１沈スカムポンプ１−２−３」の場合、本来適切な紐付け対象であって、両者の機器名を単語単位に形態素解析した場合の一致度は６／９である。しかし、プラント監視制御システムでの他の機器名として「１沈スカムビット２−３」が存在した場合、本来不適切な紐付け対象であるにもかかわらず、両者の機器名を単語単位に形態素解析した場合の一致度は５／７となり、前者よりも一致度が高くなる。
【００１４】
また、システムによってデータの管理体系が異なるので、一部のデータに施設や機能を表す単語が付加されているため、本来紐付けすべきデータの一致度が高くならないことがある。例えば、設備情報管理システムでの機器名が「終沈返送汚泥ポンプ１−２号」で、プラント監視制御システムでの機器名が「返送汚泥ポンプ１−２」の場合、本来適切な紐付け対象であって、両者の機器名を単語単位に形態素解析した場合の一致度は６／９である。しかし、プラント監視制御システムでの他の機器名として「終沈返送汚泥制御１−２」が存在した場合、本来不適切な紐付け対象であるにもかかわらず、両者の機器名を単語単位に形態素解析した場合の一致度は７／９となり、前者の一致度は低い。
【００１５】
このように、システム間の機器名の類似度を計算して、一致度（類似度）の高いデータ同士を単純に紐付けするだけでは、管理体系の違いで付加される文字列によって一致度が変動し、精度良くシステム間の機器名を紐付けることが難しく、設備情報管理システムをプラント監視制御システムに連携させて機器名をキーにして情報検索して、プラント稼動状況の情報を確実に取得することができなくなるという問題があった。
【００１６】
本発明は、上記のような課題を解決するためになされたもので、プラント監視制御システムとの間で管理体系の違いから、設備の分類方法や名称付けのルールについて慣例が異なるために多くの機器名が一致しない場合でも、機器名をキーにしてプラント監視制御システムからプラント稼動状況の情報を確実に取得することが可能な設備情報管理システムを提供することを目的とする。
【課題を解決するための手段】
【００１７】
上記の目的を達成するために、本発明の設備情報管理システムは、設備情報管理サーバと、情報入出力用の設備情報管理端末とを備え、上記設備情報管理サーバは、上記設備情報管理端末およびプラント監視制御システムに通信回線を介して接続されており、かつ、上記設備情報管理サーバは、機器管理用の機器台帳データが登録された機器台帳データファイルと、機器監視用の各信号項目を記載した信号項目データが登録された信号項目データファイルと、上記機器台帳データファイルに含まれる設備機器名を予め形態素解析したデータを保管する機器台帳インデックスファイルと、上記信号項目データファイルに含まれる監視機器名を予め形態素解析したデータを保管する信号項目インデックスファイルと、上記設備情報管理端末で指定した紐付け対象機器名を形態素解析した機器名と上記信号項目インデックスファイル内の形態素解析後の監視機器名との一致度を算出し、一致度がしきい値以上になっている監視機器名を絞り込む機器名絞込み手段と、この機器名絞り込み手段による絞込み結果により得られる機器リストから数字、記号、系、号の単語を除いた一番後ろの単語を抽出し、抽出した単語が一致した監視機器名を上記機器リストの内から絞込んで紐付け候補とする紐付け候補抽出手段と、上記紐付け対象機器名をキーに上記機器台帳データファイルから当該紐付け対象機器名が所属する設備名を取得するとともに、上記紐付け候補抽出手段で抽出された紐付け候補の監視機器名をキーに上記信号項目データファイルから当該監視機器名が所属する設備名を取得して一致度を付加した情報を紐付け候補一覧表として設備情報端末に送信し、また、上記設備情報管理端末で上記紐付け候補一覧表に基づいて互いに紐付けられた紐付け対象機器名と監視機器名の指定に応じて、上記機器台帳データファイルに紐付け対象機器名に対応付けて当該監視機器名とともにこれが所属する設備名を付加する紐付け手段と、上記設備情報管理端末からプラント稼動状況取得のための設備機器名の指定に応じて、上記機器台帳データファイルに付加された当該設備機器名に対応した監視機器名を参照して、上記プラント監視制御装置に対して上記監視機器名に対応した監視機器の稼動状況を検索するプラントデータ検索手段と、を備えることを特徴としている。
【発明の効果】
【００１８】
本発明によれば、プラント監視制御システムとの間で設備の分類方法や名称付けのルールについて慣例が異なるために多くの機器名が一致しない場合でも、機器名をキーにしてプラント監視制御システムからプラント稼動状況の情報を確実に取得することが可能となる。これにより、設備の更新や修繕計画を立案する際に、プラント稼働状況を加味した機器の優先度を付けることができるなど、従来よりも一層適切な設備管理を行うことができるようになる。
【図面の簡単な説明】
【００１９】
【図１】本発明の実施の形態１における設備情報管理システムの構成を示す機能ブロック図である。
【図２】同設備情報管理システムの機器台帳データファイルに登録されている機器台帳データの一例を示す説明図である。
【図３】同設備情報管理システムの機器台帳インデックスファイルと信号項目インデックスファイルにそれぞれ登録されている機器名の単語単位の形態素の一例を示す説明図である。
【図４】同設備情報管理システムの動作を説明するフロー図である。
【図５】同設備情報管理システムの紐付け候補抽出手段および紐付け手段の動作を示す説明図である。
【図６】同設備情報管理システムの紐付け手段で紐付けされた設備台帳データと信号項目データの一例を示す説明図である。
【図７】本発明の実施の形態２における設備情報管理システムの構成を示す機能ブロック図である。
【図８】本発明の実施の形態３における設備情報管理システムの構成を示す機能ブロック図である。
【図９】本発明の実施の形態４における設備情報管理システムの構成を示す機能ブロック図である。
【図１０】同設備情報管理システムに設けた複数機器名選択指定手段により複数の紐付け対象機器名が選択されたことに伴って紐付け手段で紐付けされた設備台帳データと信号項目データの一例を示す説明図である。
【図１１】本発明の実施の形態５における設備情報管理システムの構成を示す機能ブロック図である。
【図１２】同設備情報管理システムに設けた階層表示切替手段により階層表示が切替えられる一例を示す説明図である。
【図１３】設備情報管理システムとプラント監視制御システムとの管理体系の違いによる設備の分類方法を示す説明図である。
【図１４】設備情報管理システムとプラント監視制御システムとの設備の分類方法の違いに伴う機器名の名称付けの相違を示す説明図である。
【発明を実施するための形態】
【００２０】
実施の形態１．
図１は、本発明の実施の形態１における設備情報管理システムの構成を示す機能ブロック図である。
【００２１】
この実施の形態１の設備情報管理システムは、設備情報管理サーバ１００と複数の設備情報管理端末２００とから構成され、両者１００，２００が通信線を介して互いに接続されている。また、設備情報管理サーバ１００はプラント監視制御システム３００にも通信線を介して接続されて互いに連携されている。
【００２２】
ここに、設備情報管理端末２００は、後述の機器台帳データファイル１０４と信号項目データファイル１０５との間で互いに紐付けしたい機器名を指定したり、監視制御システム３００から機器の運転時間、重故障回数などのプラント稼動状況を検索したい場合に設備情報管理サーバ１００との間でデータのやり取りを行うものである。
【００２３】
設備情報管理サーバ１００は、機器台帳データファイル１０１、信号項目データファイル１０２、形態素解析手段１０３、機器台帳インデックスファイル１０４、信号項目インデックスファイル１０５、機器名絞り込み手段１１０、紐付け候補抽出手段１２０、紐付け手段１３０、およびプラントデータ検索手段１４０を備える。
【００２４】
機器台帳データファイル１０１には、初期段階では、図２（ａ）に示すように、当該機器の施設名、設備名、機器名、入年度、導入工事、仕様などを記載した機器管理用の機器台帳データが登録されている。一方、信号項目データファイル１０２には、プラント監視制御システム３００で監視制御対象となっている各機器の機器名、運転／停止、故障の有無などの機器監視用の各信号項目を記載した信号項目データが予め登録されている。
【００２５】
この場合、機器台帳データファイル１０１に登録されている機器名は、設備情報管理システムに対応させて、前述の図１４（ａ）に示したような機器名の付け方になっている。また、設備情報管理システムをプラント監視制御システム３００と連携できるようにするため、信号項目データファイル１０２に登録されている機器名は、プラント監視制御システム３００に対応させて、前述の図１４（ｂ）に示したような機器名の付け方になっている。
【００２６】
なお、機器台帳データファイル１０１に登録されている機器名と、信号項目データファイル１０２に登録されている機器名とを互いに区別するため、ここでは便宜上、前者の機器名を設備機器名、後者の機器名を監視機器名と称する。
【００２７】
形態素解析手段１０３は、機器台帳データファイル１０１と信号項目データファイル１０２とからそれぞれ機器名の部分を単語単位に分解する処理を行うものである。
【００２８】
機器台帳インデックスファイル１０４には、機器台帳データファイル１０１に登録されている設備機器名の部分を形態素解析手段１０３により単語単位に分解した結果である形態素のデータが登録されている。例えば、設備機器名が「１系汚泥ポンプ１号」の場合には、図３（ａ）に示すように、「１」「系」「汚泥」「ポンプ」「１」「号」の文字に分解された状態で登録されている。
【００２９】
また、信号項目インデックスファイル１０５には、信号項目データファイル１０２に登録されている監視機器名の部分を形態素解析手段１０３により単語単位に分解した結果である形態素のデータが登録されている。例えば、監視機器名が「初沈汚泥ポンプ１−１」の場合には、図３（ｂ）に示すように、「初」「沈」「汚泥」「ポンプ」「１」「−」「１」の文字に分解された状態で登録されている。
【００３０】
機器名絞込み手段１１０は、機器台帳データファイル１０１と信号項目データファイル１０２にそれぞれ登録されている各機器名を互いに紐付けするために設備情報管理端末２００から入力される機器名（以下、これを紐付け対象機器名という）を形態素解析し、その形態素解析後の機器名と、機器台帳インデックスファイル１０４および信号項目インデックスファイル１０５内の各機器名との単語の一致度を算出し、一致度がしきい値以上の機器名に絞り込んだ機器リストを作成する処理を行うものである。
【００３１】
紐付け候補抽出手段１２０は、形態素解析した紐付け対象機器名と、上述した一致度がしきい値以上の機器リストから、数字、記号、系、号など予め指定した単語を除いた一番後ろの単語（但し、一番後ろの単語が、機、器、装置、ポンプ、弁、扉など予め指定した単語の場合は、その１つ前の単語とつなげた単語）を抽出する処理を行うものである。
【００３２】
ここに、数字、記号、系、号などの単語を除いた一番後ろの単語の名称は、設備情報管理システムとプラント監視制御システムの両者において共通して使用される機器の機能を表現する名称であり、さらに、一番後ろの単語が、機、器、装置、ポンプ、弁、扉などの単語の場合は、その１つ前の単語とつなげることで、さらに、両システムにおいて共通して使用される機器のもつ特定の機能を表現した名称となる。したがって、先ず機器名絞込み手段１１０で一致度の高いものだけを抽出し、続いて紐付け候補抽出手段１２０で機能の機能を表現する名称をさらに特定することにより、設備機器名に対応した監視機器名の抽出精度を高めることができる。
【００３３】
紐付け手段１３０は、紐付け対象機器名と上述した紐付け候補の機器名をキーに、当該機器が属する設備名を機器台帳データ１０１および信号項目データ１０２からそれぞれ取得し、紐付け対象機器と紐付け候補の機器およびそれらの機器が所属する設備名とを一致度を付加して設備情報管理端末２００へ送信し、また、設備情報管理端末２００から紐付け対象機器と紐付け候補の機器の内から最終的に紐付けされた機器名とが入力された場合には、機器台帳データファイル１０１または信号項目データファイル１０２に対して紐付けされた機器名とその設備名とを追加して紐付け結果を反映する処理を行うものである。
【００３４】
プラントデータ検索手段１４０は、設備情報管理端末２００から入力される紐付け対象機器名に紐付けされた機器名に対応した当該機器の運転時間、重故障回数などのプラント稼動状況をプラント監視制御システムから入手し、その結果を設備情報管理端末２００へ送付する処理を行うものである。
【００３５】
なお、上記の機器名絞り込み手段１１０、紐付け候補抽出手段１２０、紐付け手段１３０、およびプラントデータ検索手段１４０の具体的な各処理内容は、次のシステム動作の説明により、一層明確化に理解される。
【００３６】
次に、上記構成を有する設備情報管理システムの動作について、図４に示すフロー図を参照して説明する。
【００３７】
まず、ユーザは、設備情報管理端末２００により、設備情報管理サーバ１００に対して、機器台帳データ１０４と信号項目データ１０５との間で紐付けしたい紐付け対象機器名とデータ種類（機器台帳データか信号項目データか）とを指定し、紐付け候補の検索リクエストを行う（Ｓ１）。ここでは、機器台帳データファイル１０１の一つの設備機器名を紐付け対象機器名として指定し、信号項目データファイル１０２の監視機器名の候補の中から紐付けを行うものとする。したがって、本例の場合、データ種類は機器台帳データ、紐付け対象機器名Ａｎは設備機器名（例えば「１系汚泥ポンプ１号」）を指定するものとする。
【００３８】
これに応じて、機器名絞込み手段１１０は、設備情報管理端末２００で指定されたデータ種類として信号項目データを紐付け候補対象のデータ種類とし（Ｓ２）、紐付け対象機器名Ａｎを形態素解析する（Ｓ３）。形態素解析された紐付け対象機器名をＡｎ’で表すと、紐付け対象機器名Ａｎが例えば「１系汚泥ポンプ１号」の場合、形態素解析後の紐付け対象機器名Ａｎ’は、図５（ａ）に示すように、「１」「系」「汚泥」「ポンプ」「１」「号」の文字に分解されたものとなる。
【００３９】
次に、機器名絞り込み手段１１０は、形態素解析後の紐付け対象機器名Ａｎ’と、信号項目インデックス１０５内の形態素解析後の監視機器名の単語の一致度を算出する（Ｓ４）。例えば、形態素解析後の紐付け対象機器名Ａｎ’が、図５（ａ）に示すように、例えば「１」「系」「汚泥」「ポンプ」「１」「号」で、信号項目インデックスファイル１０５内の形態素解析後の監視機器名が、図５（ｂ）に示すように、例えば「初」「沈」「汚泥」「ポンプ」「１」「−」「１」の場合、単語の一致度は４／７（＝５７％）となる。
【００４０】
続いて、機器名絞込み手段１１０は、算出した一致度が、しきい値以上の機器に絞り込み、機器リストＲ１’〜Ｒｎ’を作成する（Ｓ５）。例えば、一致度のしきい値が３０％に設定されていた場合、図５（ｂ）に示すように、５つの機器名が絞り込まれてリストアップされる。
【００４１】
引き続いて、紐付け候補抽出手段１２０は、紐付け対象機器名Ａｎ’と、上述した一致度がしきい値以上の機器リストＲ１’〜Ｒｎ’に対して、数字、記号、系、号など指定した単語を除いた一番後ろの単語を抽出してこれを評価単語とする（Ｓ６）。次いで、抽出した評価単語が、機、器、装置、ポンプ、弁、扉など予め指定した単語かを調べる（Ｓ７）。このＳ７で、評価単語が予め指定した単語である場合には、その１つ前の単語とつなげて評価単語とする（Ｓ８）。
【００４２】
例えば、形態素解析後の紐付け対象機器名Ａｎ’が「１」「系」「汚泥」「ポンプ」「１」「号」であれば、その評価単語は、「汚泥ポンプ」となる。また、一致度がしきい値以上の機器リストＲ１’〜Ｒｎ’の内の態素解析後の一つの監視機器名が「初」「沈」「汚泥」「ポンプ」「１」「−」「１」であれば、その評価単語は「汚泥ポンプ」となり、また、態素解析後の一つの監視機器名が「初」「沈」「汚泥」「ポンプ」「吐出」「弁」「１」「−」「１」であれば、その評価単語は「吐出弁」となる。
【００４３】
続いて、紐付け候補抽出手段１２０は、機器リストＲ１’〜Ｒｎ’の評価単語が、紐付け対象機器Ａｎ’の評価単語と一致する機器を抽出し、紐付け候補Ｃ１’〜Ｃｍ’とする（Ｓ９）。したがって、図５に示す例では、紐付け対象機器Ａｎ’の評価単語が「汚泥ポンプ」であるので、機器リストＲ１’〜Ｒｎ’の内の評価単語が「吐出弁」となる監視機器名は排除され、上から４つの監視機器名を有する機器が抽出され、これらが紐付け候補Ｃ１’〜Ｃｍ’となる。
【００４４】
このように、機器名絞込み手段１１０によって機器名の一致度の高いものを抽出するだけでなく、さらに、紐付け候補抽出手段１２０によってプラント監視制御システム３００において共通して使用される機器のもつ機能を表現する名称をさらに特定することにより、多様な機器名の中から管理体系の違いで付加される文字列や、系、号機文字列の影響を軽減した候補を精度良く抽出することができる。
【００４５】
続いて、紐付け候補抽出手段１２０は、紐付け候補Ｃ１’〜Ｃｍ’の各単語をつないで文字列にして紐付け候補Ｃ１〜Ｃｍとし、紐付け対象機器名Ａｎとあわせて紐付け手段１３０に送付する（Ｓ１０）。
【００４６】
紐付け手段１３０は、紐付け対象機器名Ａｎをキーにして、機器台帳データファイル１０１からこの紐付け対象機器名Ａｎに属する設備名を取得し、また、紐付け候補Ｃ１〜Ｃｍの監視機器名をキーにして、信号項目データファイル１０２からこの紐付け候補Ｃ１〜Ｃｍの監視機器名に所属する設備名を取得し、一致度を付加したこれらの情報を設備情報管理端末２００へ送付する（Ｓ１１）。
【００４７】
これにより、設備情報管理端末２００の図示しないディスプレイには、図６に示すように、機器台帳データファイル１０１に登録されている紐付け対象機器名Ａｎとこれが所属する設備名、および信号項目データファイル１０２に登録されている紐付け候補Ｃ１〜Ｃｍの監視機器名とこれが所属する設備名と一致度とが表示される。
【００４８】
そこで、ユーザは、設備情報管理端末２００において、紐付け対象機器名Ａｎに対応する監視機器名Ｃｔを紐付け候補Ｃ１〜Ｃｍの中から一致度を考慮して選択して、両者Ａｎ，Ｃｔを紐付けする。例えば、紐付け対象機器名Ａｎが「１系汚泥ポンプ１号」の場合、監視機器名Ｃｔとして一致度の高い「初沈汚泥ポンプ１−１」を紐付けする。そして、その紐付け結果を設備情報管理サーバ１００の紐付け手段１３０へ送付する（Ｓ１２）。
【００４９】
これに応じて、紐付け手段１３０は、紐付け対象機器名のデータ種類が機器台帳データか信号項目データかを判断する（Ｓ１３）。ここでは、紐付け対象機器名のデータ種類は機器台帳データとしているので、この場合は、図２（ｂ）に示すように、紐付け対象機器名Ａｎが属する機器台帳データファイル１０１に対して、選択した監視機器名Ｃｔが属する設備情報（設備名や機器名）を追記する（Ｓ１４）。
【００５０】
その後、プラント機器の運転時間や、重故障回数などのプラント稼動状況のデータを監視制御システム３００から取得したい場合には、設備情報管理端末２００から設備機器名Ａｎを指定した上で、設備情報管理サーバ１００のプラントデータ検索手段１４０に対して検索実行を指令する。
【００５１】
すると、これに応じてプラントデータ検索手段１４０は、機器台帳データファイル１０１を参照して、図２（ｂ）に示したように、当該データファイル１０１内の設備機器名Ａｎを、紐付けられた監視機器名Ｃｔに変換した後、監視制御システム３００に対して当該機器のＯＮ日時、ＯＦＦ日時、重故障回数などのプラント稼働状況を検索し、その検索結果をプラントデータ検索手段１４０がユーザに分かり易い形に加工（ＯＮ／ＯＦＦ日時から運転時間を算出するなど）した後、この結果を設備情報管理端末２００へ送付する。これにより、設備情報管理端末２００のディスプレイには、先に指定した設備機器名Ａｎに対応した当該機器の運転時間などの情報が表示されるので、その機器の稼働状況を容易に把握することができる。
【００５２】
以上のように、この実施の形態１の設備情報管理システムによれば、プラント監視制御システム３００との管理体制の違いによって、設備の分類方法や名称付けのルールについて慣例が異なるために多くの機器名が一致しない場合でも、機器名をキーにしてプラント監視制御システムからプラント稼動状況の情報を確実に取得することが可能となる。これにより、設備の更新や修繕計画を立案する際に、プラント稼働状況を加味した機器の優先度を付けることができるなど、従来よりも一層適切な設備管理を行うことができるようになる。
【００５３】
なお、ここでは、プラント監視制御システム３００のプラント稼働状況の情報を取り込むために、設備情報管理端末２００からは紐付け対象機器名として一つの設備機器名を指定して信号項目データファイル１０２の監視機器名の候補の中から紐付けを行うことを前提として説明したが、例えば、プラント設備の機器故障等が発生した場合の管理上、プラント設備で使用される監視機器名が、設備情報管理システムで使用している設備機器名とどのように対応しているかを調べたい場合には、設備情報管理端末２００からはデータ種類として信号項目データを、また紐付け対象機器名として一つの監視機器名を指定し、これを機器名絞り込み手段１１０、紐付け候補抽出手段１２０、紐付け手段１３０を用いて設備台帳データファイル１０１の設備機器名の候補の中から紐付けを行うようにすることも可能である。この場合、紐付け手段１３０は、指定された紐付け対象機器（この場合は監視機器名）Ｃｔに対して紐付けされた設備機器名Ａｎをキーとして、この設備機器名Ａｎが所属する設備情報を、信号項目データファイル１０２に追記する（Ｓ１５）。
【００５４】
実施の形態２．
図７は本発明の実施の形態２における設備情報管理システムの機能ブロック図であり、図１に示した実施の形態１と対応もしくは相当する構成部分には同一の符号を付す。
【００５５】
この実施の形態２の特徴は、実施の形態１における設備情報管理サーバ２００の構成に対して、さらに紐付け対象外指定手段１０６を設けていることである。
【００５６】
紐付け対象外指定手段１０６は、信号項目データファイル１０６に登録されている膨大な信号項目データの中から保全業務とあまり関連しない機器（例えば、弁、焼却炉、コンプレッサなどの名称の機器や、開／閉、手元／手元切、水位異常などの信号名を含む機器）は、機器台帳データとは紐付け対象にしない機器として、例えば設備情報管理端末２００により予め指定しておく。
【００５７】
そして、このような機器台帳データと紐付け対象にしない機器については、紐付け対象外指定手段１０６によって形態素解析手段１０３で形態素解析される前に事前に排除することで、信号項目インデックスファイル１０５に登録するデータ量を削減できるとともに、機器名絞込み手段１１０の一致度の算出処理時間を軽減することができる。
その他の構成、および作用、効果については、実施の形態１と同様であるから、ここでは詳しい説明は省略する。
【００５８】
実施の形態３．
図８は本発明の実施の形態３における設備情報管理システムの構成図であり、図７に示した実施の形態２と対応もしくは相当する構成部分には同一の符号を付す。
【００５９】
この実施の形態３の特徴は、実施の形態２における設備情報管理サーバ２００の構成に対して、さらに同義語機器名指定手段１０７を設けていることである。
【００６０】
例えば、汚泥ポンプと送泥ポンプ、掻寄せ機とコレクタ、送風機とブロア、スキマーと除去装置などは、互いに名称が異なるが、その機能は実質同じなので同義語といえる。そこで、同義語機器名指定手段１０７には、予め多数の同義語が登録されており、設備情報管理端末１００から一つの紐付け対象機器名Ａｕが指定された場合、この紐付け対象機器名に対する同義語を抽出する。そして、紐付け対象機器名Ａｕと共にこの同義語の情報を機器名絞込み手段１１０、および紐付け候補抽出手段１２０にそれぞれ送出する。
【００６１】
このように、同義語機器名指定手段１０７を設けることにより、設備情報管理端末１００から指定された紐付け対象機器Ａｕに対して、その同義語も対照できるので、機器名絞込み手段１１０や紐付け候補抽出手段１２０で、本来同一機器でありながら、紐付け候補の対象外となるのを防ぐことができ、さらに、紐付け候補の抽出精度を高めることができる。
その他の構成、および作用、効果については、実施の形態２と同様であるから、ここでは詳しい説明は省略する。
【００６２】
実施の形態４．
図９は本発明の実施の形態４における設備情報管理システムの機能ブロック図であり、図８に示した実施の形態３と対応もしくは相当する構成部分には同一の符号を付す。
【００６３】
この実施の形態４の特徴は、実施の形態３における設備情報管理サーバ２００の構成に対して、さらに複数機器名選択指定手段１０８を設けていることである。
【００６４】
この複数機器名選択指定手段１０８は、設備情報管理端末２００で機器名の一部を指定あるいは、機器分類や設備分類などの上位概念機器名を指定することで、これに応じて、その上位概念機器名に属する下位概念の複数の紐付け対象機器名を一度に選択指定できるようにしている。
【００６５】
例えば、上位概念機器名として「汚泥ポンプ」を指定すれば、複数機器名選択指定手段１０８は、これに応じて、その上位概念機器に属する下位概念である「１系汚泥ポンプ１号」、「１系汚泥ポンプ２号」、「２系汚泥ポンプ１号」、「２系汚泥ポンプ２号」の４つの紐付け対象機器名を同時に選択指定する。
【００６６】
これにより、紐付け手段１３０は、前述のようにして各々の紐付け対象機器名をキーにして、機器台帳データファイル１０１からこの紐付け対象機器名に属する設備名を取得し、また、紐付け候補の監視機器名をキーにして、信号項目データファイル１０２からこの紐付け候補の監視機器名に属する設備名を取得し、それらの結果を設備情報管理端末２００へ送付する。
【００６７】
したがって、利用者は、最初に設備情報管理端末２００で上位概念機器名として、例えば「汚泥ポンプ」を指定するだけで、設備情報管理端末２００には、図１０に示すように、「１系汚泥ポンプ１号」〜「２系汚泥ポンプ２号」といった互いに類似した複数の紐付け対象機器名と、その紐付け対象機器名に対する紐付け候補の機器名とこれが所属する各設備名が表示されるので、ユーザは、例えば「１系汚泥ポンプ１号」と「２系汚泥ポンプ１号」というように互いに類似した複数の紐付け対象機器名に対して、それぞれ「初沈汚泥ポンプ１−１」、「初沈汚泥ポンプ２−１」というように紐付け候補を一度に紐付けすることができる。
【００６８】
このように、この実施の形態４では複数機器名選択指定手段１０８を設けることにより、実施の形態１〜３のように個々に紐付け対象機器名を指定する場合に比べて、紐付け対象機器名の指定操作の手間を省くことができ、一層利便性が高まる。
その他の構成、および作用、効果については、実施の形態３と同様であるから、ここでは詳しい説明は省略する。
【００６９】
実施の形態５．
図１１は本発明の実施の形態５における設備情報管理システムの機能ブロック図であり、図９に示した実施の形態４と対応もしくは相当する構成部分には同一の符号を付す。
【００７０】
この実施の形態５の特徴は、実施の形態４における設備情報管理サーバ２００の構成に対して、さらに階層表示切替手段１０９を設けていることである。
【００７１】
この階層表示切替手段１０９は、設備情報管理端末２００からの指令に基づき、機器台帳データが持つ階層表示のほかに、紐付け手段１３０により紐付けされた信号項目の情報（設備名、機器名）を用いて、機器台帳データの階層表示と、信号項目データの階層表示とを互いに切替え可能にしている。
【００７２】
すなわち、実施の形態１で説明したように、設備情報管理端末２００により紐付け対象機器名Ａｎを指定すると、紐付け手段１３０によって紐付け対象機器名Ａｎが属する機器台帳データファイル１０１に対して、選択した監視機器名Ｃｔが属する設備情報が追記される。したがって、図１２に示すように、例えば、機器台帳データファイル１０１の情報を表示する階層表示１から「１系汚泥ポンプ１号」を検索しても、信号項目データファイル１０２の情報を表示する階層表示２から「初沈汚泥ポンプ１−１」を検索しても、同じ機器台帳に容易にたどり着くことができる。
【００７３】
このように、どちらの階層表示１、２から指定した機器でも同じ機器台帳にたどり着くことができるので、プラント設備やその機器名の情報を確認することができ、利便性が高まる。
その他の構成、および作用、効果については、実施の形態４と同様であるから、ここでは詳しい説明は省略する。
【符号の説明】
【００７４】
１００  設備情報管理サーバ、２００  設備情報管理端末、
３００  プラント監視制御システム、１０１  機器台帳データファイル、
１０２  信号項目データファイル、１０３  形態素解析手段、
１０４  機器台帳インデックスファイル、１０５  信号項目インデックスファイル、
１０６  紐付け対象外指定手段、１０７  同義語機器名指定手段、
１０８  複数機器名選択指定手段、１０９  階層表示切替手段、
１１０  機器名絞り込み手段、１２０  紐付け候補抽出手段、１３０  紐付け手段、
１４０  プラントデータ検索手段。
【図１】
2011198176.tif 000003
【図２】
2011198176.tif 000004
【図３】
2011198176.tif 000005
【図４】
2011198176.tif 000006
【図５】
2011198176.tif 000007
【図６】
2011198176.tif 000008
【図７】
2011198176.tif 000009
【図８】
2011198176.tif 000010
【図９】
2011198176.tif 000011
【図１０】
2011198176.tif 000012
【図１１】
2011198176.tif 000013
【図１２】
2011198176.tif 000014
【図１３】
2011198176.tif 000015
【図１４】
2011198176.tif 000016